(57)【要約】【課題】  接続元端末のユーザが、接続先端末の通信モード対応状況を事前に認識したり、それをあらかじめ登録しなくても、無駄なトラフィックを発生させずに、所望の通信モードで端末同士を接続できるようにする。【解決手段】  複数の通信モードに対応した通信システムの通信制御装置５０は、各携帯電話端末１０の通信モード対応状況を記憶するデータベース６０に接続され、接続元から接続先への接続要求を受けたとき、データベース６０を参照して、接続元及び接続先の通信モード対応状況を認識するとともに、双方に共通する通信モードが複数の場合、接続先の携帯電話端末１０Ｂに接続する前に、双方に共通する複数の通信モードを接続元の携帯電話端末１０Ａに通知する。【選択図】      図１
2005252501.tif 000002
【特許請求の範囲】
【請求項１】
複数の通信モードに対応した通信システムであって、
一又は複数の通信モードに対応する複数の端末と、
各端末の通信モード対応状況を記憶するデータベースと、
接続元端末から接続先端末への接続要求を受けたとき、前記データベースを参照して、前記接続元端末及び前記接続先端末の通信モード対応状況を認識するとともに、双方に共通する通信モードが複数の場合、前記接続先端末に接続する前に、双方に共通する複数の通信モードを前記接続元端末に通知する通信制御装置と、
を備えることを特徴とする通信システム。
【請求項２】
前記接続元端末が、前記通信制御装置から通信モードの通知を受けたとき、ユーザに通信モードの選択を求めるとともに、ユーザが選択した通信モードを前記通信制御装置に通知することを特徴とする請求項１記載の通信システム。
【請求項３】
前記接続元端末及び／又は前記接続先端末が、所定の通信モードによる接続の可否を前記データベースにあらかじめ登録し、
前記通信制御装置が、前記接続元端末から前記接続先端末への接続要求を受けたとき、前記データベースを参照して、前記接続元端末及び／又は前記接続先端末が許可しない通信モードを認識し、その通信モードによる接続を制限する
ことを特徴とする請求項１又は２記載の通信システム。
【請求項４】
前記接続先端末が、所定の通信モードによる接続許可端末を前記データベースにあらかじめ登録し、
前記通信制御装置が、前記接続元端末から前記接続先端末への接続要求を受けたとき、前記データベースを参照して、前記接続元端末が前記接続先端末の接続許可端末であるか否かを認識し、前記接続元端末が接続許可端末である場合にのみ、前記通信モードによる接続を許可する
ことを特徴とする請求項１〜３のいずれかに記載の通信システム。
【請求項５】
前記端末が、携帯電話端末であり、
前記データベース及び前記通信制御装置が、携帯電話通信網のコアネットワークに設けられる
ことを特徴とする請求項１〜４のいずれかに記載の通信システム。
【請求項６】
前記端末が、前記コアネットワークに対して、端末識別情報及び／又は携帯電話番号と共に通信モード対応状況を自動的に通知することを特徴とする請求項５記載の通信システム。
【請求項７】
前記通信モードに、少なくとも、音声通話モードとテレビ電話モードが含まれることを特徴とする請求項１〜６のいずれかに記載の通信システム。
【請求項８】
一又は複数の通信モードに対応する複数の端末を対象とし、これら端末間の通信を制御する通信制御装置であって、
各端末の通信モード対応状況を記憶するデータベースに接続され、
接続元端末から接続先端末への接続要求を受けたとき、前記データベースを参照して、前記接続元端末及び前記接続先端末の通信モード対応状況を認識するとともに、双方に共通する通信モードが複数の場合、前記接続先端末に接続する前に、双方に共通する複数の通信モードを前記接続元端末に通知する
ことを特徴とする通信制御装置。
【請求項９】
一又は複数の通信モードに対応する複数の端末を対象とし、これら端末間の通信を制御する通信制御方法であって、
データベースが、各端末の通信モード対応状況を記憶し、
通信制御装置が、接続元端末から接続先端末への接続要求を受けたとき、前記データベースを参照して、前記接続元端末及び前記接続先端末の通信モード対応状況を認識するとともに、双方に共通する通信モードが複数の場合、前記接続先端末に接続する前に、双方に共通する複数の通信モードを前記接続元端末に通知する
ことを特徴とする通信制御方法。
【発明の詳細な説明】
【技術分野】
【０００１】
本発明は、複数の通信モードに対応した通信システム、通信制御装置及び通信制御方法に関し、例えば、音声通話モード及びテレビ電話モードに対応した携帯電話用の通信システム、通信制御装置及び通信制御方法に関する。
【背景技術】
【０００２】
複数の通信モードに対応した通信システムが知られている。例えば、第三世代の携帯電話通信システムは、音声チャンネルを使用する音声通話モード、音声チャンネル及び映像チャンネルを使用するテレビ電話モード、データチャンネルを使用するデータ通信モードなどに対応しており、更には、音声チャンネル及び映像チャンネルを使用し、３以上の端末を同時接続させるテレビ会議モードの提供も可能である。また、今後も、チャンネルの種類、使用チャンネル数、接続形態などの増加による通信モードの多様化が予想される。
【０００３】
ところで、通信モードが多様化すると、端末間における通信モード対応状況の違いについて配慮が必要となる。例えば、テレビ電話機能を持つ携帯電話端末が、テレビ電話機能を持たない携帯電話端末に対し、テレビ電話モードで発信した場合において、交換局が、自動的に音声通話モードに切り換える方式や、発信側携帯電話機が、着信側携帯電話端末の通信切断に応じて、自動的に音声通信モードで再発信する方式が提案されている。
【０００４】
しかしながら、上記の方式では、着信側の携帯電話端末に一旦接続し、その反応にもとづいて通信モードを切り換えるため、無駄なトラフィックが発生するという問題がある。また、上記の方式によれば、双方がテレビ電話モードに対応していても、発信側の携帯電話端末が音声通話モードで発信すると、そのまま音声通話モードで着信側の携帯電話端末に接続されてしまうため、テレビ電話機能の利用機会が減ってしまうという問題もある。
【０００５】
そこで、接続元のユーザが登録した接続先情報にしたがって、接続の最適化を行う通信制御装置が提案されている（例えば、特許文献１参照。）。このような通信制御装置を適用すれば、通信モードの違いによる端末間の接続ミスが減り、無駄なトラフィックを抑制することが可能になる。
【特許文献１】特開２００３−２９８７４４号公報
【発明の開示】
【発明が解決しようとする課題】
【０００６】
しかしながら、特許文献１に示されるものでは、接続元のユーザが、接続先の通信モード対応状況を事前に認識した上で、その情報をあらかじめ通信制御装置に登録する必要があるため、ユーザに大きな負担をかけるだけでなく、通信モード対応状況を認識していない接続先については、接続を最適化できないという問題がある。
また、機種変更の頻度が高い携帯電話端末の通信システムに適用した場合には、接続先が機種変更されたにも拘わらず、古い接続先情報が保持される可能性があるため、逆に端末間の接続ミスを増加させるおそれがある。
【０００７】
本発明は、上記の事情にかんがみなされたものであり、接続元端末のユーザが、接続先端末の通信モード対応状況を事前に認識したり、それをあらかじめ登録しなくても、無駄なトラフィックを発生させずに、所望の通信モードで端末同士を接続させることができる通信システム、通信制御装置及び通信制御方法の提供を目的とする。
【課題を解決するための手段】
【０００８】
上記目的を達成するため本発明の通信システムは、複数の通信モードに対応した通信システムであって、一又は複数の通信モードに対応する複数の端末と、各端末の通信モード対応状況を記憶するデータベースと、接続元端末から接続先端末への接続要求を受けたとき、前記データベースを参照して、前記接続元端末及び前記接続先端末の通信モード対応状況を認識するとともに、双方に共通する通信モードが複数の場合、前記接続先端末に接続する前に、双方に共通する複数の通信モードを前記接続元端末に通知する通信制御装置と、を備える構成としてある。
【０００９】
このように構成すれば、接続先端末に接続する前に、双方に共通する複数の通信モードが接続元端末に通知されるので、無駄なトラフィックを発生させることなく、所望の通信モードで端末同士を接続させることが可能になる。
また、接続元端末のユーザが、接続先端末の通信モード対応状況を事前に認識したり、それをあらかじめ登録する必要がないので、ユーザの労力も軽減することができる。
【００１０】
また、本発明の通信システムは、前記接続元端末が、前記通信制御装置から通信モードの通知を受けたとき、ユーザに通信モードの選択を求めるとともに、ユーザが選択した通信モードを前記通信制御装置に通知する構成としてある。
このように構成すれば、接続元端末のユーザは、選択可能な通信モードを接続元端末上で確認し、所定の選択操作を行うだけで、所望の通信モードで接続先端末に接続することが可能になる。
【００１１】
また、本発明の通信システムは、前記接続元端末及び／又は前記接続先端末が、所定の通信モードによる接続の可否を前記データベースにあらかじめ登録し、前記通信制御装置が、前記接続元端末から前記接続先端末への接続要求を受けたとき、前記データベースを参照して、前記接続元端末及び／又は前記接続先端末が許可しない通信モードを認識し、その通信モードによる接続を制限する構成としてある。
このように構成すれば、接続先端末に接続する前の段階で、所定の通信モードによる接続を制限できるので、端末設定でモード制限を行う場合に比べ、無駄なトラフィックの発生を減らすことができる。また、制限する通信モードを発着信別で登録可能であるため、モード制限に関する設定の自由度を高めることができる。
【００１２】
また、本発明の通信システムは、前記接続先端末が、所定の通信モードによる接続許可端末を前記データベースにあらかじめ登録し、前記通信制御装置が、前記接続元端末から前記接続先端末への接続要求を受けたとき、前記データベースを参照して、前記接続元端末が前記接続先端末の接続許可端末であるか否かを認識し、前記接続元端末が接続許可端末である場合にのみ、前記通信モードによる接続を許可する構成としてある。
このように構成すれば、接続許可端末以外の端末が所定の通信モードによる接続を要求したとき、これを接続先端末に接続する前の段階で制限できるので、端末設定で接続制限を行う場合に比べ、無駄なトラフィックの発生を減らすことができる。
【００１３】
また、本発明の通信システムは、前記端末が、携帯電話端末であり、前記データベース及び前記通信制御装置が、携帯電話通信網のコアネットワークに設けられる構成としてある。
このように構成すれば、携帯電話通信システムにおいて本発明を適用し、接続の最適化を図ることができる。また、携帯電話通信網のコアネットワークには、携帯電話端末の位置情報を記憶するデータベースが設けられているので、本発明のデータベースに兼用できるという利点もある。
【００１４】
また、本発明の通信システムは、前記端末が、前記コアネットワークに対して、端末識別情報及び／又は携帯電話番号と共に通信モード対応状況を自動的に通知する構成としてある。
このように構成すれば、ユーザが登録操作をしなくても、各端末の通信モード対応状況をデータベースに蓄積することが可能になるだけでなく、端末の機種変更による通信モード対応状況の変化にも容易に対応することができる。
なお、携帯電話端末には、電源投入時やエリア移動時に位置登録信号を自動送信する機能が設けられているので、この機能を利用すれば、通信モード対応状況の自動通知を容易に実現することができる。
【００１５】
また、本発明の通信システムは、前記通信モードに、少なくとも、音声通話モードとテレビ電話モードが含まれる構成としてある。
このように構成すれば、音声通話モード及びテレビ電話モードに対応する通信システムに本発明を適用し、接続の最適化を図ることができる。
【００１６】
また、上記目的を達成するため本発明の通信制御装置は、一又は複数の通信モードに対応する複数の端末を対象とし、これら端末間の通信を制御する通信制御装置であって、各端末の通信モード対応状況を記憶するデータベースに接続され、接続元端末から接続先端末への接続要求を受けたとき、前記データベースを参照して、前記接続元端末及び前記接続先端末の通信モード対応状況を認識するとともに、双方に共通する通信モードが複数の場合、前記接続先端末に接続する前に、双方に共通する複数の通信モードを前記接続元端末に通知する構成としてある。
このようにすれば、通信制御装置として本発明を実施でき、上記の通信システムと同様の効果が得られる。
【００１７】
また、上記目的を達成するため本発明の通信制御方法は、一又は複数の通信モードに対応する複数の端末を対象とし、これら端末間の通信を制御する通信制御方法であって、データベースが、各端末の通信モード対応状況を記憶し、通信制御装置が、接続元端末から接続先端末への接続要求を受けたとき、前記データベースを参照して、前記接続元端末及び前記接続先端末の通信モード対応状況を認識するとともに、双方に共通する通信モードが複数の場合、前記接続先端末に接続する前に、双方に共通する複数の通信モードを前記接続元端末に通知する方法としてある。
このようにすれば、通信制御方法として本発明を実施でき、上記の通信システムと同様の効果が得られる。
【発明の効果】
【００１８】
以上のように、本発明によれば、接続元端末のユーザが、接続先端末の通信モード対応状況を事前に認識したり、それをあらかじめ登録しなくても、所望の通信モードで端末同士を接続させることができる。
しかも、接続先端末に接続する前に、双方に共通する複数の通信モードを接続元端末に通知することにより、無駄なトラフィックの発生も防止することができる。
【発明を実施するための最良の形態】
【００１９】
以下、本発明の実施形態について、図面を参照して説明する。
【００２０】
［第一実施形態］
図１は、本発明の第一実施形態に係る携帯電話通信システムのブロック図である。
この図に示すように、携帯電話通信システムは、複数の携帯電話端末１０と、携帯電話端末１０と無線通信を行う複数の基地局２０と、ハンドオーバーなどの無線ネットワーク制御を行う複数の制御局（ＲＮＣ）３０と、これらを接続するコアネットワーク４０とからなり、コアネットワーク４０には、通信制御装置５０及びデータベース６０を含む交換局７０が設けられている。
【００２１】
携帯電話通信システムは、複数の通信モードに対応している。本実施形態では、音声チャンネルを使用する音声通話モードと、音声チャンネル及び映像チャンネルを使用するテレビ電話モードを例として説明するが、対応する通信モードの種類や数は、上記のものに限定されない。また、各携帯電話端末１０における通信モードの対応状況は機種に依存しており、本実施形態では、音声通話モードのみに対応する携帯電話端末１０と、音声通話モード及びテレビ電話モードに対応する携帯電話端末１０とが混在しているものとする。
【００２２】
つぎに、携帯電話通信システムの基本的な動作について説明する。
各基地局２０は、固有のエリア情報が含まれる電波信号を、不特定の携帯電話端末１０に向けて定期的に送信している。携帯電話端末１０は、電波の受信強度にもとづいて基地局２０を選択し、基地局２０に向けて位置登録信号を自動的に送信する。この送信処理は、携帯電話端末１０の電源投入時やエリア移動時に行われる。また、位置登録信号には、少なくとも、携帯電話端末１０が持つ固有の端末識別情報（例えば１５桁のコード）と、基地局２０のエリア情報とが含まれる。基地局２０は、携帯電話端末１０から位置登録信号を受信すると、これを交換局７０に送る。
【００２３】
交換局７０のデータベース６０には、あらかじめ各携帯電話端末１０の端末識別情報及び電話番号が登録されている。交換局７０が基地局２０から位置登録情報を受信すると、端末識別情報に関連付けてエリア番号を登録する。つまり、交換局７０は、電源の入っている携帯電話端末１０について、その最新位置（無線通信可能な基地局２０）を常に把握している。
【００２４】
携帯電話端末１０で接続先の電話番号を入力し、これを発信すると、基地局２０などを介して交換局７０に接続要求信号が送られる。交換局７０は、接続要求信号を受信すると、接続先の携帯電話端末１０が通信可能な基地局２０を、データベース６０の位置登録情報にもとづいて特定し、接続元携帯電話端末１０と接続先携帯電話端末１０の間の通信経路を確立する。これにより、接続元携帯電話端末１０と接続先携帯電話端末１０が接続され、通話が可能になる。
【００２５】
つぎに、携帯電話端末１０及び通信制御装置５０（交換局７０）の構成について、図面を参照して説明する。
図２は、本発明の第一実施形態に係る携帯電話端末のブロック図である。
この図に示すように、携帯電話端末１０は、基地局２０との間で電波信号を送受信する送受信部１１と、キーパット、マイクロホン、カメラなどを含む入力部１２と、スピーカ、液晶パネル、バイブレータなどを含む出力部１３と、ＣＰＵなどを含む制御部１４と、ＲＯＭ、ＲＡＭなどを含む記憶部１５とから構成されている。
【００２６】
記憶部１５は、プログラム及びデータを記憶しており、記憶データには、少なくとも端末識別情報及び通信モード対応情報が含まれている。通信モード対応情報は、携帯電話端末１０の通信モード対応状況を特定するためのものであり、データ形式に制限はない。本実施形態では、音声通話モードのみに対応する携帯電話端末１０と、音声通話モード及びテレビ電話モードに対応する携帯電話端末１０とを識別できるものであればよい。
【００２７】
制御部１４は、記憶部１５に記憶されるプログラムにしたがって各部を制御することにより、携帯電話端末１０に各種の機能を与える。携帯電話端末１０の機能としては、基地局２０に位置登録情報を送る位置登録機能と、基地局２０に通信モード対応情報を送る通信モード登録機能と、音声チャンネルを用いて、通話を行う音声通話機能と、音声チャンネル及び映像チャンネルを用いて、通話を行うテレビ電話機能と、通信モードを選択する通信モード選択機能とが含まれている。
【００２８】
通信モード登録機能は、交換局７０のデータベース６０に通信モード対応情報を登録するための機能である。本実施形態では、位置登録情報を送る際に、通信モード対応情報を付加するようにしてある。これにより、ユーザが意識的な登録操作をしなくても、携帯電話端末１０の通信モード対応情報をデータベース６０に自動的に登録することが可能になる。
なお、データベース６０に対する通信モード対応情報の登録方法は、上記の方法に限定されない。例えば、携帯電話会社が端末識別情報や電話番号をデータベース６０に登録する際に、通信モード対応情報を付加登録するようにしてもよい。
【００２９】
図３は、本発明の第一実施形態に係る交換局（通信制御装置及びデータベース）のブロック図である。
この図に示すように、通信制御装置５０は、各基地局２０と通信を行う通信部５１と、ＣＰＵなどを含む制御部５２と、ＲＯＭ、ＲＡＭなどを含む記憶部５３とがらなり、データベース６０に接続されている。
【００３０】
制御部５２は、記憶部５３に記憶されるプログラムにしたがって各部を制御することにより、通信制御装置５０に各種の機能を与える。通信制御装置５０の機能としては、基地局２０から受信した位置登録情報や通信モード対応情報をデータベース６０に登録する情報登録機能と、音声チャンネルを用いて、携帯電話端末１０同士を接続する音声通話接続機能と、音声チャンネル及び映像チャンネルを用いて、携帯電話端末１０同士を接続するテレビ電話接続機能と、使用可能な通信モードを接続元の携帯電話端末１０に通知する通信モード通知機能と、通信モードの切り換えを行う通信モード切り換え機能とが含まれている。
【００３１】
具体的に説明すると、通信モード通知機能は、接続元の携帯電話端末１０Ａから接続先の携帯電話端末１０Ｂへの接続要求を受けたとき、データベース６０を参照して、各携帯電話端末１０Ａ、１０Ｂの通信モード対応状況を認識するとともに、双方に共通する通信モードが複数の場合、接続先の携帯電話端末１０Ｂに接続する前に、双方に共通する通信モードを接続元の携帯電話端末１０Ａに通知する機構である。
また、通信モード切り換え機能は、通信モード通知後、携帯電話端末１０Ａからの応答にもとづいて通信モードを切り換える機能である。
【００３２】
つぎに、携帯電話端末１０及び通信制御装置５０の動作をフローチャートに沿って説明する。
ただし、各携帯電話端末１０の通信モード対応情報は、上述の登録方法により、あらかじめデータベース６０に登録されているものとする。
【００３３】
図４は、本発明の第一実施形態に係る携帯電話端末の動作手順を示すフローチャートである。
この図に示すように、テレビ電話機能を持つ携帯電話端末１０Ａのユーザが、接続先となる携帯電話端末１０Ｂの電話番号を入力して発信操作を行うと（Ｓ１０１、Ｓ１０２）、携帯電話端末１０Ａは、基地局２０と同期を確立し、データベース６０に登録されている携帯電話端末１０Ｂの通信モード対応情報を受信する（Ｓ１０３）。携帯電話端末１０Ａは、この情報を元に接続先の携帯電話端末１０Ｂがテレビ電話対応か否かを確認し（Ｓ１０４）、接続先の携帯電話端末１０Ｂがテレビ電話に対応していれば、接続先がテレビ電話対応である旨をスピーカから音声メッセージとして出力し（Ｓ１０５）、ユーザの選択操作を待つ（Ｓ１０６）。ユーザがキー操作などでテレビ電話モードを選択した場合は、テレビ電話モードによる接続要求信号を送信し、テレビ電話モードによる通話を開始する（Ｓ１０７）。また、ユーザが音声通話モードを選択した場合や、相手先がテレビ電話未対応である場合には、音声通話モードによる接続要求信号を送信し、音声通話モードによる通話を開始する（Ｓ１０８）。
【００３４】
図５は、本発明の第一実施形態に係る通信制御装置の動作手順を示すフローチャートである。
この図に示すように、通信制御装置５０は、接続元となる携帯電話端末１０Ａからの発信を確認すると（Ｓ２０１）、データベース６０に接続して、接続元携帯電話端末１０Ａの通信モード対応情報を参照し、接続元の携帯電話端末１０Ａがテレビ電話対応端末か否かを確認する（Ｓ２０２、Ｓ２０３）。ここで接続元の携帯電話端末１０Ａがテレビ電話に未対応であると判断した場合は、そのまま音声通話接続とする（Ｓ２０４）。逆にテレビ電話対応であると判断した場合は、接続先の電話番号を元にデータベース６０から接続先携帯電話端末１０Ｂの通信モード対応情報を取得し、接続先がテレビ電話対応か否かを確認する（Ｓ２０５、Ｓ２０６）。
【００３５】
接続先がテレビ電話未対応であれば、そのまま音声通話接続とする（Ｓ２０４）。接続先がテレビ電話に対応している場合は、接続元の携帯電話端末１０Ａに対して、接続先がテレビ電話対応端末であることを通知し（Ｓ２０７）、携帯電話端末１０Ａからの応答を待つ（Ｓ２０８）。ここで、接続元携帯電話端末１０Ａからの応答が、音声通話モードによる接続要求であった場合は、音声通話接続とし（Ｓ２０４）、また、テレビ電話モードによる接続要求であった場合は、テレビ電話モードに切り換えて接続先の携帯電話端末１０Ｂに接続する（Ｓ２０９）。
【００３６】
以上のように構成された第一実施形態の携帯電話通信システムによれば、通信制御装置５０が、接続元携帯電話端末１０Ａから接続先携帯電話端末１０Ｂへの接続要求を受けたとき、データベース６０を参照して、接続元携帯電話端末１０Ａ及び接続先携帯電話端末１０Ｂの通信モード対応状況を認識するとともに、双方に共通する通信モードが複数の場合、接続先携帯電話端末１０Ｂに接続する前に、双方に共通する通信モードを接続元携帯電話端末１０Ａに通知するので、無駄なトラフィックを発生させることなく、所望の通信モードで携帯電話端末１０同士を接続させることが可能になる。
【００３７】
また、接続元携帯電話端末１０Ａのユーザが、接続先携帯電話端末１０Ｂの通信モード対応状況を事前に認識したり、それをあらかじめ登録する必要がないので、ユーザの労力も軽減することができる。
【００３８】
また、接続元の携帯電話端末１０Ａは、通信制御装置５０から通信モードの通知を受けたとき、ユーザに通信モードの選択を求めるとともに、ユーザが選択した通信モードを通信制御装置５０に通知するので、接続元携帯電話端末１０Ａのユーザは、選択可能な通信モードを端末上で確認し、所定の選択操作を行うだけで、所望の通信モードで接続先の携帯電話端末１０Ｂに接続することが可能になる。
【００３９】
また、携帯電話端末１０は、コアネットワーク４０に対して、端末識別情報と共に通信モード対応状況を自動的に通知するので、ユーザが登録操作をしなくても、各携帯電話端末１０の通信モード対応状況をデータベース６０に蓄積することが可能になるだけでなく、携帯電話端末１０の機種変更による通信モード対応状況の変化にも容易に対応することができる。
しかも、本実施形態では、携帯電話端末１０の基本機能である位置登録機能を利用して、通信モード対応情報をデータベース６０に登録するので、通信モード対応状況の自動通知を容易に実現することができる。
【００４０】
なお、本発明は、前記実施形態に限定されないことは勿論である。例えば、図４のＳ１０５における通信モードの選択メッセージは、音声メッセージだけでなく、液晶パネルを用いた表示メッセージとしてもよく、または、その両方を併用しても良い。
また、図５のＳ２０６において、接続先の通信モード対応情報が無い場合には（他キャリアの携帯電話端末、固定電話端末など）はテレビ電話に対応していないものとして音声通話接続（Ｓ２０４）に移行することが好ましい。
また、本発明は、携帯電話端末を接続する携帯電話通信システムに限定されず、固定電話端末、ＩＰ電話端末、インターネット端末などを接続する様々な通信システムに適用することができる。
【００４１】
［第二実施形態］
つぎに、本発明の第二実施形態について、図６を参照して説明する。
ただし、第一実施形態と共通の構成については、第一実施形態の説明を援用する。
図６は、本発明の第二実施形態に係る通信制御装置の動作手順を示すフローチャートである。
【００４２】
この図に示すように、第二実施形態の通信制御装置５０は、携帯電話端末１０が、所定の通信モードによる接続の可否を発着信別でデータベース６０にあらかじめ登録すると、接続要求時にデータベース６０を参照して、接続元携帯電話端末１０Ａや接続先携帯電話端末１０Ｂが許可しない通信モードを認識し、その通信モードによる接続を制限するように構成されている。
【００４３】
図６に沿って具体的に説明すると、Ｓ２０１〜Ｓ２０３までの処理は、第一実施形態と同じであるが、Ｓ２０３においてテレビ電話対応と判断した後、データベース６０の接続可否情報（発信側設定）を参照し（Ｓ３０１）、テレビ電話接続を希望していなければ、そのまま音声通話にて接続し（Ｓ２０４）、テレビ電話接続を希望していれば、Ｓ２０５へ移行する。また、Ｓ２０６において接続側がテレビ電話に対応していると判断した場合には、データベース６０の接続可否情報（着信側設定）を参照し（Ｓ３０２）、テレビ電話接続を希望していなければ、そのまま音声通話にて接続し（Ｓ２０４）、テレビ電話接続を希望していれば、Ｓ２０７へ移行する。
【００４４】
以上のように構成された第二実施形態によれば、接続先の携帯電話端末１０Ｂに接続する前の段階で、所定の通信モードによる接続を制限できるので、端末設定でモード制限を行う場合に比べ、無駄なトラフィックの発生を減らすことができる。
また、制限する通信モードを発着信別で登録可能であるため、モード制限に関する設定の自由度を高めることができる。
【００４５】
［第三実施形態］
つぎに、本発明の第三実施形態について、図７を参照して説明する。
ただし、第一実施形態や第二実施形態と共通の構成については、第一実施形態又は第二実施形態の説明を援用する。
図７は、本発明の第三実施形態に係る通信制御装置の動作手順を示すフローチャートである。
【００４６】
この図に示すように、第二実施形態の通信制御装置５０は、携帯電話端末１０が、所定の通信モードによる接続許可端末をデータベース６０にあらかじめ登録すると、接続要求時にデータベース６０を参照して、接続元携帯電話端末１０Ａが接続先携帯電話端末１０Ｂの接続許可端末であるか否かを認識し、接続元携帯電話端末１０Ａが接続許可端末である場合にのみ、前記通信モードによる接続を許可するように構成されている。
【００４７】
図７に沿って具体的に説明すると、Ｓ３０２までは図６と同様であるが、Ｓ３０２においてテレビ電話接続を希望していると、データベース６０を参照してテレビ電話の着信番号指定を確認する（Ｓ４０１）。ここで、着信番号指定が無い場合には、そのままＳ２０７へ移行する。一方、着信番号指定がある場合には、データベース６０に登録されている電話番号と照合し（Ｓ４０２）、これが一致すればＳ２０７に移行するが、一致しない場合は、音声通話接続とする（Ｓ２０４）。
【００４８】
上記のように構成された第三実施形態によれば、接続許可端末以外の携帯電話端末１０Ａが所定の通信モードによる接続を要求したとき、これを接続先の携帯電話端末１０Ｂに接続する前の段階で制限できるので、端末設定で接続制限を行う場合に比べ、無駄なトラフィックの発生を減らすことができる。
【産業上の利用可能性】
【００４９】
本発明は、複数の通信モードに対応した通信システム、通信制御装置及び通信制御方法に適用することができる。特に、音声通話モード及びテレビ電話モードに対応した携帯電話通信システムに好適であるが、携帯電話端末を接続する携帯電話通信システムに限定されず、固定電話端末、ＩＰ電話端末、インターネット端末などを接続する様々な通信システムにも適用することができる。
【図面の簡単な説明】
【００５０】
【図１】本発明の第一実施形態に係る携帯電話通信システムのブロック図である。
【図２】本発明の第一実施形態に係る携帯電話端末のブロック図である。
【図３】本発明の第一実施形態に係る交換局（通信制御装置及びデータベース）のブロック図である。
【図４】本発明の第一実施形態に係る携帯電話端末の動作手順を示すフローチャートである。
【図５】本発明の第一実施形態に係る通信制御装置の動作手順を示すフローチャートである。
【図６】本発明の第二実施形態に係る通信制御装置の動作手順を示すフローチャートである。
【図７】本発明の第三実施形態に係る通信制御装置の動作手順を示すフローチャートである。
【符号の説明】
【００５１】
１０  携帯電話端末
２０  基地局
３０  制御局
４０  コアネットワーク
５０  通信制御装置
６０  データベース
７０  交換局
【図１】
2005252501.tif 000003
【図２】
2005252501.tif 000004
【図３】
2005252501.tif 000005
【図４】
2005252501.tif 000006
【図５】
2005252501.tif 000007
【図６】
2005252501.tif 000008
【図７】
2005252501.tif 000009